(57)【要約】【課題】キーボード収納装置を可及的に小型化する。【解決手段】コンピュータ用のキーボード８を載置するキーボード支持体３０と、そのキーボード支持体３０を出退可能に支持するガイド部材ＧＥとが備えられたキーボード収納装置において、前記キーボード支持体３０における出退移動方向端部に、前記キーボード８を操作する際のアームレスト３３が、前記キーボード支持体３０の本体部分に対して出退可能に取り付けられて構成されている。これによって、アームレスト３３を好適な位置に位置させてキーボード８の操作に好適な操作環境を提供できると共に、アームレスト３３及びキーボード支持体３０を引退操作して収納することで、平面視による装置の占有面積を可及的に小さくできる。【選択図】　　　　図１
2004030255.tif 000002
【特許請求の範囲】
【請求項１】
コンピュータ用のキーボードを載置するキーボード支持体と、そのキーボード支持体を出退可能に支持するガイド部材とが備えられたキーボード収納装置であって、
前記キーボード支持体における出退移動方向端部に、前記キーボードを操作する際のアームレストが、前記キーボード支持体の本体部分に対して出退可能に取り付けられて構成されているキーボード収納装置。
【請求項２】
前記ガイド部材は、前記キーボード支持体を水平方向に出退可能に構成され、
水平方向視における前記アームレストの存在位置が、前記キーボードの存在位置と重複するように構成されている請求項１記載のキーボード収納装置。
【請求項３】
前記アームレストは、前記キーボード支持体の本体部分に引退収納したときの存在位置が、平面視で前記本体部分と重複するように構成されている請求項２記載のキーボード収納装置。
【発明の詳細な説明】
【０００１】
【発明の属する技術分野】
本発明は、コンピュータ用のキーボードを載置するキーボード支持体と、そのキーボード支持体を出退可能に支持するガイド部材とが備えられたキーボード収納装置に関する。
【０００２】
【従来の技術】
パーソナルコンピュータ等の各種のコンピュータを操作するためのキーボードは、各種の作業を行うための机上に載置した場合に比較的大きなスペースを占有してしまうため、あるいは、そもそもキーボードを載置するスペースが存在しないために、キーボードを載置するキーボード支持体をガイド部材に支持させて、ガイド部材を取り付けたテーブルやラック等に対して出退可能とする装置構成が従来から提供されている。
従来、キーボードを載置するキーボード支持体上には、キーボードを載置するスペースと操作者の手首の部分を支えるためのアームレストとして使用するスペースとを備えるのが一般的であった。
【０００３】
【発明が解決しようとする課題】
従って、上記従来構成では、キーボードの載置とキーボードの操作とのためにある程度広いスペースが必要となり、キーボード支持体の大型化に伴ってキーボード収納装置が大型化してしまう不都合があった。
本発明は、かかる実情に鑑みてなされたものであって、その目的は、キーボード収納装置を可及的に小型化する点にある。
【０００４】
【課題を解決するための手段】
上記請求項１記載の構成を備えることにより、コンピュータ用のキーボードを載置するキーボード支持体と、そのキーボード支持体を出退可能に支持するガイド部材とが備えられたキーボード収納装置において、前記キーボード支持体における出退移動方向端部に、前記キーボードを操作する際のアームレストが、前記キーボード支持体の本体部分に対して出退可能に取り付けられて構成されている。
従って、キーボードを載置するキーボード支持体の本体部分が、ガイド部材によって出退可能となっているのみならず、キーボード支持体の本体部分に対してアームレストが出退可能となっているので、キーボード支持体を引き出し操作し、更に、アームレストを引き出し操作することで、キーボードの操作に好適な操作環境を提供できると共に、アームレスト及びキーボード支持体の両方を夫々引退操作して収納することで、平面視による装置の占有面積を可及的に小さくできる。
もって、キーボード収納装置を可及的に小型化できるに至った。
尚、上記のようにキーボード収納装置の平面視による占有面積を可及的に小さくできることは、キーボード収納装置を取付けるテーブル等の奥行き方向の幅を広く確保し辛い装置に、キーボード収納装置を取付ける場合に特に有効である。例えば、いわゆるデジタルミニラボ機と言われる写真プリント装置（図４参照）では、操作テーブル（図４において符号「９」で示す）の下方にメンテナンス用の扉（図４において符号「６１」で示す）が備えられ、その扉を開いた状態で、作業者が装置筐体内へ手を伸ばして印画紙マガジンのような重量物の交換作業等を行うことになる。この場合、前記操作テーブルの奥行き方向の幅が広いと、伸ばしきった腕で重量物を持ち上げるというような作業となって、その交換作業等が非常な作業負担となってしまう。このような装置に、平面視による占有面積を可及的に小さくできるキーボード収納装置を備えることが特に有効となるのである。
【０００５】
又、上記請求項２記載の構成を備えることにより、前記ガイド部材は、前記キーボード支持体を水平方向に出退可能に構成され、水平方向視における前記アームレストの存在位置が、前記キーボードの存在位置と重複するように構成されている。
すなわち、アームレストによって上下方向において占有される幅をキーボードの存在幅と重複させるように配置することで、キーボード収納装置をより一層小型化することができる。
【０００６】
又、上記請求項３記載の構成を備えることにより、前記アームレストは、前記キーボード支持体の本体部分に引退収納したときの存在位置が、平面視で前記本体部分と重複するように構成されている。
従って、アームレストをキーボード支持体の本体部分側へ引退させた状態において、キーボード支持体の本体部分とアームレストとによって占められる空間が、キーボード支持体の本体部分のみの占有空間とほとんど変わらないようにすることができ、キーボード収納装置を更に小型化することができる。
【０００７】
【発明の実施の形態】
以下、本発明のキーボード収納装置を写真プリント装置に備えた場合の実施の形態を図面に基づいて説明する。
本実施の形態で例示する写真プリント装置ＤＰは、いわゆるデジタルミニラボ機として知られているものであり、その外観を図４に示す。
【０００８】
〔写真プリント装置ＤＰの全体構成〕
写真プリント装置ＤＰには、図４及びブロック構成図である図５に示すように、現像処理済みの写真フィルム１（以下、単に「フィルム１」と略称する）の駒画像を読み取るフィルムスキャナ部ＦＳと、フィルムスキャナ部ＦＳにて読み取った駒画像を印画紙２に露光するためのＰＬＺＴ光シャッタ方式の画像露光装置ＥＸと、画像露光装置ＥＸにて露光された印画紙２を現像処理する現像処理装置ＰＵと、２つの印画紙マガジン５の何れか一方から選択的に引き出された印画紙２を現像処理装置ＰＵに搬送する印画紙搬送系ＰＴと、現像処理装置ＰＵにて現像された印画紙２をオーダ毎に分類するためのソータ３と、現像処理装置ＰＵから排出された印画紙２をソータ３へ搬送するコンベア４と、これら各部を制御するコントローラＣＯとが設けられている。
２つの印画紙マガジン５は、写真プリント装置ＤＰの筐体内に装填するように構成されており、写真プリント装置ＤＰの操作テーブル９の下方に位置する観音開き式の扉６１を開き操作した状態で、印画紙マガジン５の交換作業を行う。
【０００９】
〔フィルムスキャナ部ＦＳの構成〕
フィルムスキャナ部ＦＳには、図５に概略的に示すように、ハロゲンランプ１０と、ハロゲンランプ１０から出射した光の色バランスを調整するための調光フィルタ１１と、調光フィルタ１１を通過した光を均等に混色するミラートンネル１２と、搬送機構１３ａや図示を省略するフィルムマスク等が備えられてフィルム１を所定の読取り位置に位置させるフィルムマスクユニット１３と、フィルム１の駒画像を光電変換するためのＣＣＤラインセンサユニット１４と、フィルム１の画像をＣＣＤラインセンサユニット１４上に結像させるためのレンズ１５と、光路を９０度屈曲させるためのミラー１６と、ＣＣＤラインセンサユニット１４の出力信号を処理する処理回路１７が設けられている。
フィルムスキャナ部ＦＳでは、フィルムマスクユニット１３にフィルム１がセットされると、搬送機構１３ａにてフィルム１の搬送が開始され、駒画像が順次読み取られて、赤色、緑色、青色毎のデジタル画像データとしてコントローラＣＯに出力される。
【００１０】
〔画像露光装置ＥＸの構成〕
画像露光装置ＥＸは、ＰＬＺＴ光シャッタ方式を採用しており、図６に示すように、光源２０と、光源から出射された光から赤外線成分をカットする赤外線吸収フィルタ２１と、赤外線吸収フィルタ２１の通過光を所望の色バランスに調整する調光フィルタ２２と、集光レンズ２３と、赤色，緑色，青色の各カラーフィルタを周方向に配列して図示しないモータにて回転駆動される回転フィルタ２４と、集光レンズ２３にて集光された光を伝える光ファイバー束２５と、光ファイバー束２５の先端に接続されたＰＬＺＴプリントヘッド２６と、シャッタ制御回路２７とが備えられている。
【００１１】
ＰＬＺＴプリントヘッド２６には、詳細な説明は省略するが、ライン状に配列された多数のＰＬＺＴ素子と、ＰＬＺＴ素子の光路の両側に配置された偏光子と、ＰＬＺＴ素子の透過光を印画紙２上に集光するための微少レンズ群とが備えられ、各ＰＬＺＴ素子夫々には前記シャッタ制御回路２７によってパルス電圧が印加される電極が形成されている。
シャッタ制御回路２７は、図示を省略するが、多数配列される各ＰＬＺＴ素子毎に電圧供給を入り切りしてシャッタの開放と遮断とを切り替える。
【００１２】
〔コントローラＣＯの構成〕
汎用小型コンピュータにて構成されるコントローラＣＯには、シャッタ制御回路２７へ送るプリント用デジタル画像データを生成する画像処理装置ＩＰが、画像処理専用の回路基板として備えられている。
画像処理装置ＩＰは、フィルムスキャナ部ＦＳから入力された、フィルム１の駒画像の画像データに所定の画像処理を実行してその画像データに変更を加え、前記プリント用デジタル画像データを生成する。この画像処理としては、画像の拡大及び縮小，コントラスト及びシャープネスの処理等の各種の処理を行うことができ、コントローラＣＯに接続されているキーボード８や図示を省略するマウスからどのような画像処理を行うかを指定できる。尚、プリント用デジタル画像データは、各画素の各色毎の露光時間データとして例えば８ビットデータとして生成される。
【００１３】
〔キーボード８の配置構成〕
キーボード８は、図４に示すように、色補正用操作卓６が埋め込み設置された操作テーブル９の下面に取り付けられたキーボード収納装置ＫＳに収納されている。
キーボード収納装置ＫＳは、キーボード８を引き出して行く過程を順に示す図１乃至図３のように、キーボード８を載置するキーボード支持体３０と、キーボード支持体３０を水平方向に出退可能に支持するガイド部材ＧＥとしての左右一対のスライドレール３１と、３段式のスライドレール３１の固定側部材を操作テーブル９の下面に取り付けるための左右一対の取付け用ベース３２とを備えて構成され、キーボード８を使用しないときは、図１に示すように、操作テーブル９の下面側に収納できるようになっている。
【００１４】
キーボード支持体３０の出退移動方向端部（操作者側の端部）には、操作者がキーボード８を操作するときに手首を当てつけるアームレスト３３が取付けられている。
アームレスト３３には、左右両端から奥側へ延出する状態でアーム３３ａが取付けられ、キーボード支持体３０の本体部分に、このアーム３３ａを案内する案内板３０ａが左右端夫々に備えられて、アームレスト３３がキーボード支持体３０の本体部分に対して、図３において幅Ｓにて示す距離だけ出退可能となっている。
アームレスト３３は、図３に示すように略Ｌ字アングル形状に形成され、水平方向視でキーボード支持体３０の存在位置（すなわちキーボード８の存在位置）と重複すると共に、図１及び図２のようにアームレスト３３をキーボード支持体３０の本体部分に引退収納したときには、アームレスト３３の上面がキーボード支持体３０の本体部分に覆い被さる状態となり、引退収納時におけるアームレスト３３の存在位置が、平面視でキーボード支持体３０の本体部分と重複することになる。このように、水平方向視並びに平面視の両面でキーボード収納装置ＫＳのコンパクト化を図ることで、設置面積の狭小化の観点からわずかな作業面積に制限される写真プリント装置ＤＰの操作テーブル９の下面側にコンピュータ用のキーボード８（フルキーボード）をコンパクトに収納できるのである。
【００１５】
図１に示すように操作テーブル９の下面側に収納されている状態から、画像処理の指示入力等のためにキーボード８を使用するときは、先ず、図２に示すように、キーボード支持体３０を操作テーブル９の下から引き出し、更に、図３に示すように、キーボード支持体３０からアームレスト３３を引き出す。
尚、キーボード支持体３０を引き出したときのキーボード支持体３０の位置決めはスライドレール３１に内蔵されている位置決め機構によって行い、アームレスト３３を引き出したときのアームレスト３３の位置決めはキーボード支持体３０の本体部分側に備られた図示を省略するストッパにて行う。
又、上記のようにキーボード支持体３０を出退操作したときに、キーボード８とコントローラＣＯとを接続するケーブルを安定的に保持するために、左方の取付け用ベース３２とキーボード支持体３０の下面側との間に樹脂性のケーブルガイド３４が掛け渡されている。
【００１６】
〔印画紙搬送系ＰＴの構成〕
印画紙搬送系ＰＴは、印画紙マガジン５から印画紙２を単列で引き出し搬送する引き出し搬送部４０と、画像露光装置ＥＸによる露光位置を２列で搬送する露光搬送部４１と、露光が終了した印画紙２を現像処理装置ＰＵへ送る露光後搬送部４２とから構成されている。
引き出し搬送部４０には、印画紙マガジン５から引き出された長尺の印画紙２を所定のプリントサイズに切断するカッタ５０が備えられており、引き出し搬送部４０と露光搬送部４１との間には、単列で搬送されて来る印画紙２を引き出し搬送部４０から受け取って、露光搬送部４１の２列の搬送列に交互に振り分ける振り分け装置５１が配置されている。
現像処理装置ＰＵは、詳細な説明を省略するが、現像処理のための複数種類の処理駅を充填した処理タンクが一連に並べて配置され、各処理タンクに亘って印画紙２を搬送する搬送ローラ５２等が備えられている。
【００１７】
〔写真プリント装置ＤＰの全体動作〕
コントローラＣＯの制御による上記構成の写真プリント装置ＤＰの全体動作を概略的に説明すると、フィルムスキャナ部ＦＳのフィルムマスクユニット１３にフィルム１が挿入されると、フィルム１の搬送移動と並行してＣＣＤラインセンサユニット１４にて各駒の駒画像が読み取られ、処理回路１７にてＡ／Ｄ変換等された後にコントローラＣＯへ出力され、コントローラＣＯは、上述のようにしてプリント用デジタル画像データを生成してシャッタ制御回路２７に出力する。この処理に並行して、オペレータは、コントローラＣＯに備えられたキーボード８から、プリントサイズやプリント枚数等の情報を入力すると共に、モニタ７に表示されたシミュレート画像を観察して、適宜に色補正情報等を色補正用操作卓６から入力する。更に、必要であれば、キーボード８及びマウスを用から各種の画像処理の実行を指示する。尚、上記シミュレート画像とは、フィルム１の駒画像の読取り情報に基づいて完成プリント画像をシミュレートしたものである。
【００１８】
コントローラＣＯは、印画紙マガジン５からの印画紙２の引き出し搬送の開始を指示すると共に、入力されたプリントサイズ等の情報に基づいて、印画紙マガジン５から引き出された長尺の印画紙２を指示されたサイズに切り分ける。
所定のプリントサイズに切断された印画紙２が振り分け装置５１を経由して露光位置に搬送されると、露光位置での印画紙２の搬送移動と連動して、シャッタ制御回路２７が、画像処理装置ＩＰから入力される１ラインずつのプリント用デジタル画像データに基づいて、ＰＬＺＴプリントヘッド２６の各ＰＬＺＴ素子を作動させ、各画素毎に所望通りの露光量で印画紙２を露光させる。
露光処理の終了した印画紙２は、現像処理装置ＰＵに搬送され現像処理並びに乾燥処理の後、写真プリント装置ＤＰの筐体上部に配置されたコンベア４上に排出される。コンベア４は、受け取った印画紙２をソータ３の受け皿３ａ上に搬送する。
ソータ３は、１オーダ分の印画紙２を受け取ると受け皿３ａを１段分回転移動させ、次の受け皿３ａをコンベア４からの印画紙受取り位置に位置させる。
【００１９】
〔別実施形態〕
以下、本発明の別実施形態を列記する。
（１）上記実施の形態では、キーボード収納装置ＫＳを写真プリント装置ＤＰに搭載した場合を例示しているが、いわゆるパーソナルコンピュータを使用する一般的な机の引き出しに代えて取付けたり、あるいは、ラックマウント式のコンピュータシステムの収納ラックにユニットとして取付ける等、コンピュータの種々の配置形態に対応して使用できるものである。
（２）上記実施の形態では、キーボード支持体３０を出退可能に支持するガイド部材ＧＥとしてスライドレール３１を例示し、アームレスト３３の出退移動については、アームレスト３３に連接したアーム３３ａを案内板３０ａにて摺接案内する構成を例示しているが、夫々の具体的なガイド形式は種々変更可能である。
【００２０】
【発明の効果】
上記請求項１記載の構成によれば、キーボードを載置するキーボード支持体の本体部分が、ガイド部材によって出退可能となっているのみならず、キーボード支持体の本体部分に対してアームレストが出退可能となっているので、キーボード支持体を引き出し操作し、更に、アームレストを引き出し操作することで、キーボードの操作に好適な操作環境を提供できると共に、アームレスト及びキーボード支持体の両方を夫々引退操作して収納することで、平面視による装置の占有面積を可及的に小さくできる。
もって、キーボード収納装置を可及的に小型化できるに至った。
【００２１】
又、上記請求項２記載の構成によれば、アームレストによって上下方向において占有される幅をキーボードの存在幅と重複させるように配置することで、キーボード収納装置をより一層小型化することができる。
又、上記請求項３記載の構成によれば、アームレストをキーボード支持体の本体部分側へ引退させた状態において、キーボード支持体の本体部分とアームレストとによって占められる空間が、キーボード支持体の本体部分のみの占有空間とほとんど変わらないようにすることができ、キーボード収納装置を更に小型化することができる。
【図面の簡単な説明】
【図１】本発明の実施の形態にかかる収納時におけるキーボード収納装置の斜視図
【図２】本発明の実施の形態にかかる引き出し途中におけるキーボード収納装置の斜視図
【図３】本発明の実施の形態にかかる引き出し完了時におけるキーボード収納装置の斜視図
【図４】本発明の実施の形態にかかる写真プリント装置の外観斜視図
【図５】本発明の実施の形態にかかる写真プリント装置のブロック構成図
【図６】本発明の実施の形態にかかる画像露光装置の概略構成図
【符号の説明】
８　　キーボード
３０　キーボード支持体
３３　アームレスト
ＧＥ　ガイド部材
【図１】
2004030255.tif 000003
【図２】
2004030255.tif 000004
【図３】
2004030255.tif 000005
【図４】
2004030255.tif 000006
【図５】
2004030255.tif 000007
【図６】
2004030255.tif 000008